(57)【要約】【課題】モータで発生する振動がファンに伝わることを抑えて、異音の発生を防ぐ設備機器を提供する。【解決手段】設備機器としての浴室暖房換気乾燥機１Ａは、回転する駆動軸２０を有し、駆動軸２０に回り止め部２１が形成されたモータ２と、駆動軸２０に挿入される軸穴部３０及びボス３１ａの外側に形成されるリブ３１ｂを有し、モータ２に回転駆動されるファン３と、駆動軸２０の回り止め部２１に挿入され、駆動軸２０に対する回転を規制する第１の係止部４０、及びファン３のリブ３１ｂに接する平面部４１ａを有し、モータ２の駆動力をファン３に伝達する第２の係止部４１を有した伝達部材４を備える。【選択図】    図１
2011106570.tif 000002
【特許請求の範囲】
【請求項１】
回転する駆動軸を有し、前記駆動軸に回り止め部が形成された駆動手段と、
前記駆動軸に挿入される軸穴部及び前記軸穴部の外側に形成される凸部を有し、前記駆動手段に回転駆動される回転駆動体と、
前記駆動軸の前記回り止め部に挿入され、前記駆動軸に対する回転を規制する第１の係止部、及び前記回転駆動体の前記凸部に接する面部を有し、前記駆動手段の駆動力を前記回転駆動体に伝達する第２の係止部を有した伝達部材と
を備えたことを特徴とする設備機器。
【請求項２】
前記回転駆動体は、前記軸穴部が形成される凸状のボスの外周面から外側に向けて突出する平板状のリブが前記凸部として形成され、
前記伝達部材は、前記第２の係止部の前記面部が、前記リブの厚み方向の一面に形成された平面部に面で接触する
ことを特徴とする請求項１記載の設備機器。
【請求項３】
前記駆動手段はモータで、前記回転駆動体はファンである
ことを特徴とする請求項１または２記載の設備機器。
【発明の詳細な説明】
【技術分野】
【０００１】
本発明は、回転駆動される回転駆動体を備えた設備機器に関する。
【背景技術】
【０００２】
モータを動力源とした設備機器として、モータに回転駆動される回転駆動体としてファンを備えた送風装置がある。従来、モータの回転をファンに伝達する構造としては、モータの駆動軸とファンの軸穴部にＤカットを設けて、ファンが駆動軸に対して空転しないようにした構成が用いられている。
【０００３】
また、ファンのＤカットされた軸穴部とモータの駆動軸との間に防振ゴムを入れて、モータの振動をファンに伝わりにくくした構成が提案されている（例えば、特許文献１参照）。
【先行技術文献】
【特許文献】
【０００４】
【特許文献１】特開２００３−０４９７９３号公報
【発明の概要】
【発明が解決しようとする課題】
【０００５】
従来の構成では、モータの駆動軸の外周面とファンの軸穴部の内周面が接触して駆動力が伝達されるが、接触する部分は面ではなく線となるため、接触圧力が高くなりモータの振動がファンに伝わりやすく、ファンに伝わった振動が異音として発生するという問題があった。また、ファンのＤカットされた軸穴部とモータの駆動軸との間に防振ゴムを入れる構成では、経年劣化で防振ゴムが変形し、モータの振動がファンに伝わりやすくなって、ファンに伝わった振動が異音として発生するという問題があった。
【０００６】
本発明は、このような課題を解決するためになされたもので、モータ等の動力源で発生する振動が回転駆動体に伝わることを抑えて、異音の発生を防ぐ設備機器を提供することを目的とする。
【課題を解決するための手段】
【０００７】
上述した課題を解決するため、本発明は、回転する駆動軸を有し、駆動軸に回り止め部が形成された駆動手段と、駆動軸に挿入される軸穴部及び軸穴部の外側に形成される凸部を有し、駆動手段に回転駆動される回転駆動体と、駆動軸の回り止め部に挿入され、駆動軸に対する回転を規制する第１の係止部、及び回転駆動体の凸部に接する面部を有し、駆動手段の駆動力を回転駆動体に伝達する第２の係止部を有した伝達部材とを備えた設備機器である。
【０００８】
本発明の設備機器では、駆動手段の駆動軸の回り止め部と、伝達部材の第１の係止部が接することで、駆動手段の駆動力が伝達部材に伝達される。伝達部材は、第２の係止部の面部が回転駆動体の凸部に面で接しているので、伝達部材の第２の係止部から駆動手段の駆動力が回転駆動体に伝達される。
【発明の効果】
【０００９】
本発明の設備機器によれば、伝達部材と回転駆動体が接触する箇所は、面同士で面積が広く、また、接触位置が回転の中心から離れているため、接触圧力が低くなり、駆動手段の振動が回転駆動体に伝わりにくくなる。これにより、駆動手段の振動が回転駆動体に伝わって、異音が発生することを防ぐことができる。
【図面の簡単な説明】
【００１０】
【図１】設備機器の実施の形態としての浴室暖房換気乾燥機の一例を示す要部分解斜視図である。
【図２】本実施の形態の浴室暖房換気乾燥機の一例を示す要部斜視図である。
【図３】本実施の形態の浴室暖房換気乾燥機の一例を示す要部平面図である。
【図４】本実施の形態の浴室暖房換気乾燥機の全体構成を示す側断面図である。
【図５】本実施の形態の浴室暖房換気乾燥機の動作例を示す側断面図である。
【図６】本実施の形態の浴室暖房換気乾燥機の設置例を示す構成図である。
【発明を実施するための形態】
【００１１】
以下、図面を参照して本発明の設備機器の実施の形態について説明する。本実施の形態では、駆動手段の一例としてモータを備え、回転駆動体の一例としてファンを備えた送風装置としての浴室暖房換気乾燥機を例に説明する。
【００１２】
＜本実施の形態の浴室暖房換気乾燥機の構成例＞
図１は、設備機器の実施の形態としての浴室暖房換気乾燥機の一例を示す要部分解斜視図、図２は、本実施の形態の浴室暖房換気乾燥機の一例を示す要部斜視図、図３は、本実施の形態の浴室暖房換気乾燥機の一例を示す要部平面図である。
【００１３】
また、図４は、本実施の形態の浴室暖房換気乾燥機の全体構成を示す側断面図、図５は、本実施の形態の浴室暖房換気乾燥機の動作例を示す側断面図、図６は、本実施の形態の浴室暖房換気乾燥機の設置例を示す構成図である。
【００１４】
本実施の形態の浴室暖房換気乾燥機１Ａは、モータ２と、モータ２に回転駆動されるファン３と、モータ２の駆動力をファン３に伝達する伝達部材４を備え、モータ２の振動がファン３へ伝わることを低減する。
【００１５】
モータ２は駆動手段の一例で、図４に示すように浴室暖房換気乾燥機１Ａの本体ケース１１に取り付けられる。モータ２は、ファン３が取り付けられる駆動軸２０の先端側に、円周面の一部を平面として断面形状を略Ｄ型としたＤカットと称される回り止め部２１が形成される。また、モータ２は、駆動軸２０の回り止め部２１より先端側にネジ部２２が形成される。更に、モータ２は、ファン３の軸方向の位置を規制するＣリングやＥリング等のリング２３が駆動軸２０に取り付けられる。
【００１６】
ファン３は回転駆動体の一例で、例えば多翼の羽根車で構成され、モータ２の駆動軸２０が挿入される軸穴部３０が形成されるハブ３１と、空気の流れを発生させる羽根部３２を備える。
【００１７】
ファン３は、ハブ３１の中心部分の一の面に凸状のボス３１ａが形成され、軸穴部３０がボス３１ａを貫通する。軸穴部３０は、モータ２の駆動軸２０の回り止め部２１の形状に合わせて内周面の形状が略Ｄ型に形成される。これにより、モータ２の駆動軸２０の回り止め部２１の平面部分と、ファン３の軸穴部３０の平面部分の向きを合わせて、モータ２の駆動軸２０にファン３の軸穴部３０が挿入されると、駆動軸２０に対するファン３の空転が防止される。
【００１８】
ファン３は、ハブ３１の一の面とボス３１ａを繋ぐリブ３１ｂが、軸穴部３０の外側のボス３１ａの外周面の複数箇所、本例では４箇所に形成される。リブ３１ｂは凸部の一例で、厚み方向の所定の一面あるいは両面に平面部３１ｃが形成された三角形または四角形等の平板状で、ボス３１ａの外周面から放射方向に突出する。なお、リブ３１ｂは、ハブ３１とボス３１ａの接合部分を補強するために設けられる。
【００１９】
伝達部材４は、モータ２の駆動軸２０の回り止め部２１に挿入される第１の係止部４０と、ファン３のリブ３１ｂに接する第２の係止部４１を備える。伝達部材４は、本例では所定の形状の金属の板材が折り曲げられて構成され、ファン３のボス３１ａに被せられるような箱状に形成される。
【００２０】
第１の係止部４０は、伝達部材４の上面を貫通する内周面の形状が略Ｄ型の穴部、本例では、ファン３のボス３１ａに被せられる箱状部材の上面を貫通する穴部で構成され、モータ２の駆動軸２０の回り止め部２１の形状に合わせて、内周面の一部を平面として回り止め部４０ａが形成される。
【００２１】
第２の係止部４１は、伝達部材４の側面から外側に向けて突出し、ファン３のリブ３１ｂの平面部３１ｃに接触する所定の面積を有した平面部４１ａで構成される。第２の係止部４１は、本例では、ファン３のボス３１ａに被せられる箱状部材の対向する二側面の一部を外側に折り曲げることで、伝達部材４の２箇所に形成される。
【００２２】
伝達部材４は、モータ２の駆動軸２０の回り止め部２１の平面部分と、第１の係止部４０の回り止め部４０ａの平面部分の向きを合わせて、モータ２の駆動軸に第１の係止部４０が挿入されると、駆動軸２０に対する回転が規制され、第２の係止部４１の平面部４１ａがファン３のリブ３１ｂの平面部３１ｃに面同士で接するように、各部の形状及び寸法が設定されている。
【００２３】
浴室暖房換気乾燥機１Ａは、モータ２の駆動軸２０に挿入され、伝達部材４が取り付けられたファン３を軸方向の両側から挟む２枚の緩衝部材２４を備える。緩衝部材２４は、金属板のワッシャで構成されるものであっても良い。また、モータ２の振動がファン３に伝達されることを低減するため、２枚の金属板のワッシャでリング状のゴム等の弾性部材を挟んで一体化した構成であっても良い。
【００２４】
浴室暖房換気乾燥機１Ａは、モータ２の駆動軸２０に緩衝部材２４、ファン３、伝達部材４、緩衝部材２４の順で各部品が挿入され、伝達部材４が取り付けられたファン３が、軸方向の両側から緩衝部材２４で挟まれる。ファン３と伝達部材４は、モータ２の駆動軸２０の回り止め部２１の平面部分と向きを合わせて挿入される。そして、駆動軸２０のネジ部２２に締結部材であるナット２５が締結されることで、ファン３がモータ２の駆動軸２０に固定される。これにより、伝達部材４は、モータ２の駆動軸２０の回り止め部２１に第１の係止部４０が挿入されることで、駆動軸２０に対する回転が規制され、かつ、第２の係止部４１の平面部４１ａがファン３のリブ３１ｂの平面部３１ｃに面同士で接触した状態で、ファン３に固定される。そして、モータ２の駆動軸２０が図３に示す矢印Ａ方向に回転すると、駆動軸２０と共に回転する伝達部材４の第２の係止部４１の平面部４１ａで、ファン３のリブ３１ｂの平面部３１ｃが押され、モータ２の駆動力が伝達部材４でファン３に伝達される。
【００２５】
次に、浴室暖房換気乾燥機１Ａの全体構成及び設置例について、各図を参照して説明する。浴室暖房換気乾燥機１Ａは、風路を形成するファンケース１２とヒータ１３を備える。ファン３は回転軸が縦向きに配置され、ファンケース１２は、ファン３の軸方向に沿った下面が開口して吸込口１２ａが形成される。また、ファンケース１２は、ファン３の円周方向の一の側方に排気口１４が形成されると共に、下面に吹出口１５が形成される。更に、ファンケース１２は、吸込口１２ａから排気口１４への風路と吹出口１５への風路を切り替える風路切替ダンパ１６を備える。
【００２６】
風路切替ダンパ１６は、図示しないダンパモータの駆動力がカム１６ａを介して伝達され、軸１６ｂを支点に回転して開閉動作を行い、風路切替ダンパ１６の位置によって、吸込口１２ａから排気口１４への風路と吹出口１５への風路が形成される。
【００２７】
図５（ａ）では、風路切替ダンパ１６を全開にした状態を示す。風路切替ダンパ１６を全開にすると、吹出口１５への風路が遮断され、吸込口１２ａから排気口１４への換気風路１４ａが形成される。このため、風路切替ダンパ１６が全開となる位置を風路切替ダンパ１６の換気位置と称す。
【００２８】
図５（ｂ）では、風路切替ダンパ１６を全閉にした状態を示す。風路切替ダンパ１６を全閉にすると、排気口１４への風路が遮断され、吸込口１２ａから吹出口１５への循環風路１５ａが形成される。このため、風路切替ダンパ１６が全閉となる位置を風路切替ダンパ１６の循環位置と称す。
【００２９】
図５（ｃ）では、風路切替ダンパ１６を循環位置と換気位置の中間位置にした状態を示す。風路切替ダンパ１６を循環位置と換気位置の中間位置にすると、吸込口１２ａから吹出口１５への循環風路１５ａと、吸込口１２ａから排気口１４への換気風路１４ａの双方が形成される。この中間位置を分流位置と称す。
【００３０】
ヒータ１３は、例えばＰＴＣヒータ等の電気ヒータが、吹出口１５に取り付けられる。ここで、浴室暖房換気乾燥機１Ａは、吸込口１２ａに図示しない温度センサを備えて、吸い込まれる空気の温度を検知できるようになっており、吸い込まれる空気の温度等に基づいて、ヒータ１３のオンとオフが制御される。
【００３１】
なお、浴室暖房換気乾燥機１Ａは、複数の整流板と整流板の向きを変えるモータで構成され、風向が切り替えられる電動ルーバを吹出口１５に備えても良い。また、ファンケース１２に正イオンと負イオンの双方を発生するイオン発生装置を備えても良い。
【００３２】
浴室暖房換気乾燥機１Ａは、下面にフロントパネル１８が取り付けられる。フロントパネル１８は、ファンケース１２の吸込口１２ａと対向して吸込グリル１８ａを備えると共に、吹出口１５と対向して吹出グリル１８ｂを備える。なお、フロントパネル１８は、吸込グリル１８ａの内側に図示しないフィルタが交換可能に取り付けられる。
【００３３】
浴室暖房換気乾燥機１Ａは、排気口１４に排気ダクトジョイント１９を備える。浴室暖房換気乾燥機１Ａは、図６に示すように、浴室１０１の天井に設置され、図示しない建物の外壁に取り付けられた排気グリル１９ａと、図４等に示す排気ダクトジョイント１９が、排気ダクト１９ｂで接続される。
【００３４】
浴室１０１は、隣接する洗面脱衣所１０２との間が開閉可能な扉１０３で仕切られると共に、扉１０３に備えられたガラリ１０３ａによって、洗面脱衣所１０２を介して他室の空気を浴室１０１へ吸い込めるようになっている。
【００３５】
＜本実施の形態の浴室暖房換気乾燥機の動作例＞
次に、各図を参照して本実施の形態の浴室暖房換気乾燥機の動作例について説明する。浴室暖房換気乾燥機１Ａは、洗面脱衣所１０２に設置される操作部１０４で操作され、運転モードに応じてモータ２が駆動されてファン３が回転する。ファン３が回転駆動されると、フロントパネル１８の吸込グリル１８ａを介してファンケース１２の吸込口１２ａから浴室１０１の空気ＢＡが吸い込まれる。
【００３６】
風路切替ダンパ１６の位置が図５（ａ）に示す換気位置であると、ファンケース１２において吸込口１２ａから排気口１４への換気風路１４ａが形成されるので、フロントパネル１８の吸込グリル１８ａを通り吸込口１２ａから吸い込まれた空気は、換気風路１４ａ及び排気口１４を通り、更に、排気ダクト１９ｂを通って排気グリル１９ａから屋外へ排気される。
【００３７】
これにより、換気運転モードでは、風路切替ダンパ１６を換気位置として、モータ２が回転駆動され、浴室１０１内の湯気や湿気が排気される。また、浴室１０１内の空気が屋外に排気されると、ガラリ１０３ａを通して洗面脱衣所１０２の空気ＲＡが浴室１０１内に吸い込まれることで、他室の空気が洗面脱衣所１０２からガラリ１０３ａを通って浴室１０１に吸い込まれ、屋外に排気される。
【００３８】
従って、浴室暖房換気乾燥機１Ａで換気運転モードを実行すると、図示しない建物の換気が行われ、所定の風量が得られるようにモータ２を常時駆動することで、建物の２４時間換気が行われる。
【００３９】
風路切替ダンパ１６の位置が図５（ｂ）に示す循環位置であると、ファンケース１２において吸込口１２ａから吹出口１５への循環風路１５ａが形成されるので、吸込口１２ａから吸い込まれた空気ＢＡは、循環風路１５ａを通り吹出口１５からフロントパネル１８の吹出グリル１８ｂを介して浴室１０１内に吹き出される。ヒータ１３は吹出口１５に配置されるので、ヒータ１３に通電されることで、循環風路１５ａを通る空気が温められて、温風が吹出グリル１８ｂから吹き出す。
【００４０】
これにより、暖房運転モードでは、風路切替ダンパ１６を循環位置として、モータ２が駆動されると共に、ヒータ１３に通電され、浴室１０１内の空気を循環させながら、浴室１０１内に温風が吹き出される。
【００４１】
なお、イオンモードとして、ヒータ１３には通電せず、モータ２の駆動と連動させて略同数の正イオンと負イオンを発生させ、略同数の正イオンと負イオンを含む空気を送風することで、循環する空気に含まれる浮遊細菌と浴室１０１の空気中の浮遊細菌の双方を除去して、カビの発生等を抑えることができる。
【００４２】
風路切替ダンパ１６の位置が図５（ｃ）に示す分流位置であると、ファンケース１２において吸込口１２ｂから吹出口１５への循環風路１５ａと、吸込口１２ａから排気口１４への換気風路１４ａの双方が形成されるので、吸込口１２ａから吸い込まれた空気は、一部は循環風路１５ａを通り吹出口１５からフロントパネル１８の吹出グリル１８ｂを介して浴室１０１内に吹き出される。
【００４３】
また、吸込口１２ａから吸い込まれた空気の残部は、換気風路１４ａ及び排気口１４を通り、更に、排気ダクト１９ｂを通って排気グリル１９ａから屋外へ排気される。
【００４４】
これにより、乾燥運転モード等では、風路切替ダンパ１６を分流位置として、モータ２が駆動されると、ヒータ１３が非駆動の場合は、浴室１０１内の空気を循環させながら、浴室１０１内の湯気や湿気が排気される。
【００４５】
また、ヒータ１３に通電した場合は、浴室１０１内の空気を循環させて浴室１０１内に温風を吹き出しながら、浴室１０１内の湯気や湿気が排気される。
【００４６】
＜本実施の形態の浴室暖房換気乾燥機の効果例及び変形例＞
上述したように、常時運転される２４時間換気機能を備えた浴室暖房換気乾燥機１Ａでは、モータ２が常時駆動されており、モータ２の振動がファン３に伝わって異音が発生すると、夜間等で環境が静かなときは、騒音に感じられることがある。
【００４７】
本実施の形態の浴室暖房換気乾燥機１Ａでは、モータ２の駆動軸２０の回り止め部２１の平面部分と、伝達部材４の第１の係止部４０の回り止め部４０ａの平面部分が接することで、モータ２の駆動力が伝達部材４に伝達される。
【００４８】
伝達部材４は、第２の係止部４１の平面部４１ａがファン３のリブ３１ｂの平面部３１ｃに面で接しているので、伝達部材４の第２の係止部４１からモータ２の駆動力がファン３のリブ３１ｂに伝達される。
【００４９】
従来は、モータ２の駆動軸２０の回り止め部２１の平面部分と、ファン３の軸穴部３０の平面部分が接することで、モータ２の駆動力がファン３に伝達される構成であるが、駆動軸２０の外周面とファン３の軸穴部３０の内周面が線で接する形態となるので、接触圧力が高く、モータ２の振動がファン３に伝わりやすい。
【００５０】
これに対して、本実施の形態では、伝達部材４とファン３が接触する箇所は、平面同士で従来に比較して面積が広く、また、接触位置が従来に比較して回転の中心から離れているため、接触圧力が低くなり、モータ２の振動がファン３に伝わりにくくなる。これにより、モータ２の振動がファン３に伝わって、異音が発生することを防ぐことができる。また、従来と比較して接触圧力が低いため、運転を繰り返すことによる影響が小さく、経時変化で徐々に異音が大きくなる現象を防ぐことができる。
【００５１】
更に、本例では、伝達部材４の対向する２箇所に形成されている第２の係止部４１が、ファン３のボス３１ａの対向する２箇所の形成されたリブ３１ｂと接することで、モータ２の駆動力をファン３に伝達するときに、偏りが生じないようにしている。
【００５２】
本実施の形態の浴室暖房換気乾燥機１Ａでは、ファン３に補強用として従来より形成されているリブ３１ｂを利用して、伝達部材４で駆動力を伝達できる構成とした。このため、伝達部材４を追加すれば、従来からの装置で異音の発生を防ぐことができる。なお、モータ２の駆動力が伝達部材４で伝達されるので、ファン３の軸穴部３０は、内周面の形状を略Ｄ型とせずに円筒形状としても良い。また、伝達部材４は、所定の形状の板材を折り曲げて構成した例で説明したが、プレス、鋳造、切削等で一体に構成しても良い。更に、伝達部材４の第２の係止部４１とファン３のリブ３１ｂの間に、ゴム等の弾性部材を挟み込む構成としても良い。
【００５３】
ここで、浴室暖房換気乾燥機としては、循環ファンと換気ファンを備えて循環風路と換気風路が独立した構成等でも良い。また、送風装置としては、熱交換素子を備えた熱交換型の換気装置や、換気扇、空気清浄機、中間ダクトファン、空調装置等、回転駆動体としてファンを備えた他の送風装置でも良い。
【産業上の利用可能性】
【００５４】
本発明は、回転駆動される回転駆動体を備えた設備機器に適用される。
【符号の説明】
【００５５】
１Ａ・・・浴室暖房換気乾燥機、２・・・モータ、２０・・・駆動軸、２１・・・回り止め部、３・・・ファン、３０・・・軸穴部、３１・・・ハブ、３１ａ・・・ボス、３１ｂ・・・リブ、３１ｃ・・・平面部、４・・・伝達部材、４０・・・第１の係止部、４０ａ・・・回り止め部、４１・・・第２の係止部、４１ａ・・・平面部
【図１】
2011106570.tif 000003
【図２】
2011106570.tif 000004
【図３】
2011106570.tif 000005
【図４】
2011106570.tif 000006
【図５】
2011106570.tif 000007
【図６】
2011106570.tif 000008